(57)【要約】【課題】環境への影響が小さく、落下などの衝撃によっても内部に収納した製品を良好に保持することができる製品収納用トレー。【解決手段】方形の厚紙製底板２の各辺から垂直の側面片３を立ち上げ形成し、上記各側面片３中間から底板２にかけて形成された平行な２つの切り込みｐ、ｑの間の中間片４ａの両端を谷折りし、かつ該中間片の一部を山折りしてなる緩衝部４を設け、隣り合う緩衝部４とこれらの緩衝部４を有して隣り合う側面片３との間に製品７の収納空間６を形成したことを特徴とする。【選択図】図１
2006290437.tif 000002
【特許請求の範囲】
【請求項１】
方形の厚紙製底板の各辺から側面片を垂直に折り曲げるとともに、上記各側面片の中間から底板にかけて形成された平行な２つの切り込みの間の中間片の両端を谷折りし、かつ該中間片の一部を山折りしてなる緩衝部を設け、隣り合う緩衝部とこれらの緩衝部を有して隣り合う側面片との間に製品の収納空間を形成したことを特徴とする梱包用トレー。
【請求項２】
上記側面片のうち互いに対向する１対の側面片の端面を、両隣りの側面片の内側面に突き当てて固定したことを特徴とする、請求項１記載の梱包用トレー。
【請求項３】
上記側面片のうち互いに対向する１対の側面片の両端部にフラップを延長形成し、両フラップを直角に折り曲げた状態で該フラップの外に上記側面片と隣り合う他の側面片を重合したことを特徴とする、請求項１記載の梱包用トレー。
【発明の詳細な説明】
【技術分野】
【０００１】
本発明は、動力釘打機等によって使用する連結釘等の比較的重量の重い製品を収納するとともに、その製品を変形しないように保持する製品収納用トレーに関する。
【背景技術】
【０００２】
一般に、工場生産された製品を出荷する場合には、製品を段ボール等の厚紙製ケース等に梱包して工場から販売店へ、また、販売店からユーザーへ搬送するが、この際に製品を収納した紙製ケースをパレットや車に積み込んだり、又は車から作業現場へ運ぶ際には、作業者が紙製容器に手を掛けて持ち運ぶことが行われる。例えば、圧縮空気等の動力によって駆動する動力釘打機等で使用する連結釘等の連結ファスナーでは、多数の金属製のファスナーが可撓性の連結体によって連結されるとともに渦巻き状に巻回されて円筒状に形成されており、このような連結ファスナーを釘打機等の工具に形成されている円筒状のマガジン内に収容して工具に形成されている送り機構によって順次打ち込み部へ供給するようにしているため、紙製容器等に収納された連結ファスナーが搬送中の振動等によって円筒形状が変形してしまうとファスナーの供給ができなくなってしまう。従って、このような連結ファスナーを収納する包装容器では、輸送中の振動等によって連結ファスナーの変形を防止するために、円筒状の凹部が多数形成されたプラスチック製のトレーを使用し、このトレーの凹部内に複数の連結釘を収容し、連結釘を収容したトレーを紙製ケース内に収納して梱包していた。
【０００３】
また、連結釘等の連結ファスナー等の円筒状製品を紙製容器に収納する従来の製品収納用トレーでは、トレーの材料としてプラスチック材を使用しているため、使用した後のトレーを廃棄する際の処分（焼却等）が環境上の問題となる。現在では環境を保護するという観点から、トレーの材料としてプラスチック材は極力用いないことが望まれている。
【０００４】
このため、特願２００４−１６５６３４のような厚紙製のトレーが提案実施されている。このトレーは、底板の相対する２辺から側面片を直角に折り曲げ形成し、側面片の中間から底板にかけて平行に形成された切り込みの間の片を架橋的に折り曲げ、上記底板に載置された２つの製品の間に上記折曲げ片が介在するようにしたものである。このトレーは紙製であるから燃焼廃棄することができるので、環境への負荷が軽減されるという利点がある。
【発明の開示】
【発明が解決しようとする課題】
【０００５】
しかしながら、上記厚紙製トレーによれば、１個の段ボール箱に１個のトレーを収納配置する場合は問題ないが、１個の段ボール箱に２個以上のトレーを並べて収納配置する場合、各トレーの側面片が段ボール箱の内面に重合した状態で並べられていた。その理由は、上記折曲げ片と段ボール箱の内面との間に形成された凹部を利用して、該凹部に対応する段ボール箱の部位を内側に折り込み、この部分に手を掛けて持ち運びが楽になるようにしているからである。ところが、このように並べて収納配置すると、２つのトレーで隣り合う製品間には何もなく、両製品は直接に接触するので、段ボール箱がなんらかの不測の原因により、並んだトレーが上下になる姿勢で落下したときは、上部の製品が下部の製品に強く当り、両製品が接触して変形することがある。変形したまま釘打機に使用すると、釘送りが不良になったり、釘打機の射出口に釘が斜めに送られて座屈したりする問題があった。
【０００６】
本発明は上記従来技術における問題点を解消し、環境への影響が小さく、落下などの衝撃によっても内部に収納した製品を良好に保持することができる製品収納用トレーを提供することをその課題とする。
【課題を解決するための手段】
【０００７】
上記課題を解決するため、請求項１に係る発明は、方形の厚紙製底板の各辺から側面片を垂直に折り曲げるとともに、上記各側面片の中間から底板にかけて形成された平行な２つの切り込みの間の中間片の両端を谷折りし、かつ該中間片の一部を山折りしてなる緩衝部を設け、隣り合う緩衝部とこれらの緩衝部を有して隣り合う側面片との間に製品の収納空間を形成したことを特徴とする。
【０００８】
請求項２に係る発明は、上記側面片のうち互いに対向する１対の側面片の端面を、両隣りの側面片の内側面に突き当てて固定したことを特徴とする。
【０００９】
請求項３に係る発明は、上記側面片のうち互いに対向する１対の側面片の両端部にフラップを延長形成し、両フラップを直角に折り曲げた状態で該フラップの外に上記側面片と隣り合う他の側面片を重合したことを特徴とする。
【発明の効果】
【００１０】
請求項１に係る発明によれば、各収納空間に収納された製品は緩衝部を介して隣り合うことになるので、段ボール箱等の容器に収容された状態で落下したとき、どのような姿勢で落下しても上になった製品とその下になった製品との間には緩衝部が存在するので、上の製品が直接に下の製品にぶつかることはないから、衝撃による変形は小さく抑えられる。また、側面片は全ての製品を包囲するので、製品の保護性に優れる。
【００１１】
請求項２に係る発明によれば、４個の側面片のうち互いに対向する側面片の端面を、両隣りの側面片の内側面に突き当てて固定したから、２つのトレーを段ボール箱のような容器中に並べて収容する際に、２つのトレーが接する部位で、各トレーの側面片のうち突き当てる方の側面片が容器の内面に重合し、突き当てられる方の側面片は互いに重合し、その各端面は容器の内面に略直角に当接するようにして並べることにより、誤って容器が２つのトレーが上下になるように落下しても、上のトレーと下のトレーの間で重合した側面片は、容器の内面に重合した側面片の端面で受け止められて支持されるから変形しにくい。このため、上のトレーの製品が下のトレーの製品に衝撃的にぶつかることは良好に防止され、製品は変形しにくい。
【００１２】
請求項３に係る発明によれば、４個の側面片のうち相対する１対の側面片の両端部にフラップを延長形成し、両フラップを直角に折り曲げた状態で該フラップの外に上記側面片と隣り合う他の側面片を重合させているので、２つのトレーを容器中に並べて収容する際に、２つのトレーが接する部位で、フラップを有しない側面片同士が重合し、これらの重合側面片を介して他の側面片のフラップが向き合うように並べることにより、誤って容器が２つのトレーが上下になるように落下しても、上のトレーと下のトレーの間は、２枚の側面片と２枚のフラップの合計４重構造となっており、上のトレーの下の製品と下のトレーの上の製品との間には４重の壁ができている。また、上のトレーと下のトレーの間で重合した側面片は、上記フラップとフラップを備えた側面片の端面で受け止められて支持されるから変形しにくい。このため、上のトレーの製品が下のトレーの製品に衝撃的にぶつかることは良好に防止され、製品は変形しにくい。
【実施例１】
【００１３】
図１は比較的重量の大きな製品を収納するための製品収納用トレーの斜視図であり、例えば連結釘、連結ピン、連結ネジなどの連結ファスナーを渦巻き状に巻回した製品等の円筒状の製品を収納して包装するのに適したトレーの例である。図２は上記トレーの展開図を示す。上記トレー１は段ボール板等からなる方形の厚紙製底板２と、その各辺から垂直に折り曲げ形成された側面片３と、各側面片３の中間から底板２に架橋的に形成された緩衝部４とから構成されている。
【００１４】
図２の状態から底板２と側面片３との間の折り曲げ部ａを略直角に谷折りすることによって図１のトレー１の基本形態を作ることができる。
【００１５】
次に、緩衝部４は、各側面片３の幅方向の中間から底板にかけて形成された平行な２つの切り込みｐ、ｑの間に中間片４ａを形成し、上記トレー１を組み立てる際に、上記中間片４ａの両端折り曲げ部ｂ、ｃを略直角に谷折りし、中間片４ａの一部の折り曲げ部ｄを略直角に山折りすることによって形成されたもので、中間片４ａにおいて山折り用折り曲げ部ｄと底板２の谷折り用折り曲げ部ｃとの間の間隔Ｌ１は、中間片４ａの側面片３の谷折り用折り曲げ部ａと側面片３の谷折り用折り曲げ部ｂとの間の間隔Ｌ２と略同じになるように形成されている。このため、中間片４ａの折り曲げによって形成された緩衝部４の上面は底板２と略平行となり、緩衝部４の側面は側面片３と略平行となる。
【００１６】
隣り合う緩衝部４とこれらの緩衝部４を有して隣り合う側面片３との間に製品の収納空間６が形成されている。また、底板２の中央部で、４個の緩衝部４に囲まれた部分にも製品の収納空間６が形成される。
【００１７】
上述のように、上記トレー１は紙製であるから、使用後もリサイクルでき、最終的には燃やして廃棄することができるので、環境に対する負荷が小さくなるように抑えることができる。
【００１８】
ところで、上記紙製トレー１に収納するのに適する製品は、例えば図１に示されるように、多数の釘をワイヤ等の可撓性の連結材によって等間隔に連結して渦巻き状にした連結釘７であり、図示しないが、釘打機等の工具に設けられている円筒状のマガジン内に装填され、釘送り機構によって順次打ち込み部へ供給され、打撃機構により被打込み材に打ち込まれるものである。
【００１９】
次に、上記構成の製品収納用トレー１に連結釘７を包装する場合につき説明する。通常は図３のように、まず２個組み用の段ボール製容器８に２つの上記トレー１を収容する。そして、各トレー１の収納空間に連結釘７を収納する。
【００２０】
上記構成によれば、側面片３は全ての製品を包囲する。各収納空間６に収納された製品７は緩衝部４を介して隣り合うことになるので、容器８に収容された状態で落下したとき、上になった製品７とその下になった製品７との間には緩衝部４が存在するので、上の製品７が直接に下の製品７にぶつかることはないから、衝撃による変形は小さく抑えられる。したがって、製品７が変形せずに良好に保護される。
【００２１】
なお、上記実施形態では、隣り合う側面片はわずかに接触しているだけであるが、図４に示されるように、４個の側面片のうち互いに対向する側面片３ａ（他方の側面片３ａは省略）の端面１２を、両隣りの側面片３ｂ（他方の側面片３ｂは省略）の内側面に突き当て、さらに突き当て部を固定するのが好ましい。両側面片３ａ、３ｂの突き当て部の固定手段としては、ホットメルトによる接着であってもよく、あるいはステープル止めであってもよい。
【００２２】
そして、２個組み用の段ボール製容器８に２つの上記トレー１を収容する際、２つのトレー１が接する部位で、各トレー１の側面片のうち突き当てる方の側面片３ａが容器８の内面に重合し、突き当てられる方の側面片３ｂは互いに重合し、その各端面１０が容器８の内面に略直角に当接するようにして並べる。そして、各トレー１の収納空間６に連結釘７を収納する。
【００２３】
以上の構成によれば、誤って容器８が２つのトレー１が図４のように上下になる姿勢で落下しても、上のトレー１と下のトレー１の間で重合した側面片３ｂは、容器８の内面に重合した側面片３ａの端面１２で受け止められて支持されるから変形しにくい。このため、上のトレー１の製品７が下のトレー１の製品７に衝撃的にぶつかることは良好に防止され、内部に収納した製品７は変形しにくく、良好に保持される。
【００２４】
これに対し、隣り合うトレー１の側面片３ａの端面１２同士が突き合わせられる構成では、他方の側面片３ｂは支持がないので、簡単に折れ曲がってしまい、上部トレー１の製品７が下部トレー１の製品７に強くぶつかり、コイル状に巻き回された部分が互いにつぶし合って変形するおそれがある。
【実施例２】
【００２５】
図５および図６は、上記構成のトレー１において、４個の側面片のうち互いに対向する１対の側面片３ａの両端部を延長してフラップ１１を折り曲げ可能に形成し、両フラップ１１を折り曲げて隣り合う側面片３ｂに重なるように延長されている場合の例を示したものである。なお、図１の例と同じものは同じ符号で示す。
【００２６】
この実施形態では緩衝部４を構成する中間片４ａの側面片３ａ、３ｂ側の基部は幅広に形成されている。これは、緩衝部４自体の強度を高めるとともに、緩衝部４が円筒状の製品に対してより近接してがたつきをより小さくしようとするためのものである。
【００２７】
上記構成の２つのトレー１を段ボール製容器８に入れて連結釘７を収納するときは、図７、図８に示されるように、上記トレー１を並べて入れる際に、２つのトレー１が接する部位で、フラップ１１を有しない側面片３ｂ同士が重合し、これらの重合側面片３ｂを介して他の側面片３ａのフラップ１１が向き合うように並べる。そして、各トレー１の収納空間６に連結釘７を収納する。
【００２８】
上記構成によれば、各収納空間６に収納された製品７は緩衝部４を介して隣り合うことになるので、衝撃による変形は小さく抑えられる。
【００２９】
また、誤って容器８が２つのトレー１が上下になるように落下しても、図８に示されるように、上のトレー１と下のトレー１の間は、２枚の側面片３ｂと２枚のフラップ１１の合計４重構造となっており、上のトレー１の下の製品７と下のトレー１の上の製品７との間には４重の壁ができているから、それ自体変形しにくいだけでなく、製品同士が直接にぶつかるおそれが小さい。また、重合した側面片３ｂは、上記フラップ１１とフラップ１１を備えた側面片３ａの端面で受け止められて支持されるから変形しにくい。このため、上のトレー１の製品が下のトレー１の製品に衝撃的にぶつかることは良好に防止され、製品は変形しにくい。
【００３０】
しかも、この場合は、側面片同士を固定する必要はないので、組立が楽である。
【図面の簡単な説明】
【００３１】
【図１】本発明に係る製品収納用トレーの斜視図である。
【図２】図１のトレーの展開図である。
【図３】容器にトレーを収納した状態の平面図である。
【図４】容器に収納したときの側面片の突き合せ態様を変えた例の要部拡大図である。
【図５】他の製品収納用トレーの斜視図である。
【図６】図５のトレーの展開図である。
【図７】容器にトレーを収納した状態の平面図である。
【図８】トレーの保護態様を示す図７の拡大図である。
【符号の説明】
【００３２】
１    トレー
３    側面片
４    緩衝部
４ａ    中間片
６    収納空間
【図１】
2006290437.tif 000003
【図２】
2006290437.tif 000004
【図３】
2006290437.tif 000005
【図４】
2006290437.tif 000006
【図５】
2006290437.tif 000007
【図６】
2006290437.tif 000008
【図７】
2006290437.tif 000009
【図８】
2006290437.tif 000010
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
方形の厚紙製底板の各辺から側面片を垂直に折り曲げるとともに、上記各側面片の中間から底板にかけて形成された平行な２つの切り込みの間の中間片の両端を谷折りし、かつ該中間片の一部を山折りしてなる緩衝部を設け、隣り合う緩衝部とこれらの緩衝部を有して隣り合う側面片との間に製品の収納空間を形成したことを特徴とする製品収納用トレー。
【請求項２】
上記側面片のうち互いに対向する１対の側面片の端面を、両隣りの側面片の内側面に突き当てて固定したことを特徴とする、請求項１記載の製品収納用トレー。
【請求項３】
上記側面片のうち互いに対向する１対の側面片の両端部にフラップを延長形成し、両フラップを直角に折り曲げた状態で該フラップの外に上記側面片と隣り合う他の側面片を重合したことを特徴とする、請求項１記載の製品収納用トレー。